(57)【要約】【課題】  変圧器を、充電中及び特に運搬中における取扱いやすさが向上されるように改良する。【解決手段】  本発明は、電源電圧源に接続可能な電源プラグ（３，４）を少なくとも部分的に包囲したハウジング（１２）と、端末に接続可能な端末プラグ（８）と、変圧回路とを含む変圧器（１）に関し、前記ハウジング（１２）は、第１のハウジング部材（２）と、前記第１のハウジング部材（２）に案内手段によって可動に結合されておりかつ端末を受容するための受容手段（９）として形成された第２のハウジング部材（６）とを含んでおり、前記変圧器（１）が運搬位置から充電位置へ移動させられる。充電中、及び特に運搬中における変圧器（１）の扱いやすさを向上させるために、本発明では、運搬位置においてハウジング部材（２，６）が相対的に移動させられ、運搬位置において占められるスペースが充電位置において占められるスペースよりも小さくなることが考えられている。【選択図】      図１
2004343053.tif 000002
【特許請求の範囲】
【請求項１】
電源電圧源に接続可能な電源プラグ（３，４）を少なくとも部分的に包囲したハウジング（１２）と、端末に接続可能な端末プラグ（８）と、変圧回路とを有する変圧器（１）であって、
前記ハウジング（１２）が、第１のハウジング部材（２）と、該第１のハウジング部材（２）に案内手段によって可動に結合されておりかつ端末を収容するための受容手段（９）として形成された第２のハウジング部材（６）とを含んでおり、前記変圧器（１）が運搬位置から充電位置へ移動させられるようになっており、
前記運搬位置において、ハウジング部材（２，６）が、前記運搬位置において占められる空間が前記充電位置において占められる空間よりも小さくなるように、相対的に移動させられていることを特徴とする、変圧器（１）。
【請求項２】
前記案内手段を介して前記第２のハウジング部材（６）が前記第１のハウジング部材（２）に可動に結合されており、前記案内手段が少なくとも２つのロッキング位置を規定していることを特徴とする、請求項１に記載の変圧器（１）。
【請求項３】
前記案内手段を介して第２のハウジング部材（６）が第１のハウジング部材（２）に可動に結合されており、前記案内手段がロータリ案内手段として形成されていることを特徴とする、請求項１又は２に記載の変圧器（１）。
【請求項４】
前記第２のハウジング部材（６）が、前記運搬位置において、少なくとも当該第２のハウジング部材の区分において、電源プラグ（３，４）を包囲した保護ケーシングとして形成されていることを特徴とする、請求項１から３までのいずれか１項に記載の変圧器（１）。
【請求項５】
前記変圧器（１）が、第１の充電位置及び前記運搬位置とは異なる第２の充電位置へ移動できることを特徴とする、請求項１から４までのいずれか１項記載の変圧器（１）。
【請求項６】
前記変圧器（１）が、前記運搬位置において前記第１のハウジング部材（２）が前記第２のハウジング部材（６）へ折り畳まれるように形成されていることを特徴とする、請求項１から５までのいずれか１項に記載の変圧器（１）。
【請求項７】
前記電源プラグ（３，４）及び前記端末プラグ（８）が、第１の充電位置において互いに整列するように形成されていることを特徴とする、請求項１から６までのいずれか１項に記載の変圧器（１）。
【請求項８】
第２の充電位置において、前記電源プラグ（３，４）が前記端末プラグ（８）から実質的に９０°の角度を成して延びていることを特徴とする、請求項１から７までのいずれか１項に記載の変圧器（１）。
【請求項９】
前記第１のハウジング部材（２）が、前記運搬位置において前記端末プラグ（８）を保護しながら包囲するように形成されていることを特徴とする、請求項１から８までのいずれか１項記載の変圧器（１）。
【請求項１０】
前記案内手段を介して前記第２のハウジング部材（６）が前記第１のハウジング部材（２）に可動に結合されており、前記案内手段が、前記第１及び第２のハウジング部材を導電式に結合させていることを特徴とする、請求項１から９までのいずれか１項に記載の変圧器（１）。
【請求項１１】
前記電源プラグ（３，４）が、国ごとに特定の種々異なる電源ソケットと共に使用可能であるために、前記変圧器（１）と共に使用するために交換されることができるように配置されていることを特徴とする、請求項１から１０までのいずれか１項に記載の変圧器（１）。
【請求項１２】
前記第１のハウジング部材（２）に変圧回路が組み込まれていることを特徴とする、請求項１から１１までのいずれか１項に記載の変圧器（１）。
【請求項１３】
前記第１のハウジング部材（２）がフォーク状の設計を有しており、前記第１のハウジング部材（２）にはフォークの端部（５）においてロータリ案内手段が設けられていることを特徴とする、請求項１から１２までのいずれか１項に記載の変圧器（１）。
【請求項１４】
前記端末プラグ（８）が前記変圧器（１）に交換可能に配置されていることを特徴とする、請求項１から１３までのいずれか１項に記載の変圧器（１）。
【請求項１５】
第１の充電位置において、挿入方向（Ｅ）と差し込み方向（Ｓ）とが実質的に互いに平行に延びていることを特徴とする、請求項１から１４までのいずれか１項に記載の変圧器（１）。
【請求項１６】
第２の充電位置において、挿入方向（Ｅ）と差し込み方向（Ｓ）とが実質的に互いに垂直に延びていることを特徴とする、請求項１から１５までのいずれか１項に記載の変圧器（１）。
【請求項１７】
前記運搬位置において、挿入方向（Ｅ）と差し込み方向（Ｓ）とが実質的に互いに平行に延びていることを特徴とする、請求項１から１６までのいずれか１項に記載の変圧器（１）。
【発明の詳細な説明】
【技術分野】
【０００１】
本発明は、電源電圧源に接続可能な電源プラグを少なくとも部分的に包囲したハウジングと、端末に接続可能な端末プラグと、変圧回路とを有しており、前記ハウジングが、第１のハウジング部材と、前記第１のハウジング部材に案内手段によって可動に結合されておりかつ端末を受容するための受容手段として形成された第２のハウジング部材とを含んでいる変圧器に関し、前記変圧器が、運搬位置から充電位置へ移動させられるようになっている。
【背景技術】
【０００２】
通信及びエンターテイメント技術の分野において使用される現代のモバイル端末、特にＭＰ３プレーヤ、携帯電話、ＰＤＡ（パーソナル・デジタル・アシスタンツ）又は同様のものには、電源独立形式で作動させられることができるように、電流貯蔵蓄電池ユニットが設けられている。時折、これらのモバイル端末は、蓄電池ユニットを充電するために電源電圧源に接続されなければならない。使用可能な電源電圧は、蓄電池ユニットを充電するために必要な充電電圧とは異なり、電源電圧を充電電圧に変換するために変圧器が使用されなければならない。この変圧器は、電源電圧源に接続するための接続設備と、充電されるモバイル端末への接続のための別の接続設備とを有していなければならない。
【０００３】
従来技術は、モバイル端末を充電しかつモバイル端末に電流を供給するための様々な変圧器を開示している。
【０００４】
最も頻繁に使用される変圧器は、二次ケーブルを介して端末に接続される差込式電源ユニットである。幾つかの変圧器の場合、変圧回路が電源プラグのハウジングに組み込まれている。従来技術において、この変圧器回路の二次側が、差込式ケーブルを介して端末に接続される。
【０００５】
この形態は、ケーブルの長さにより二次側において大きな電圧損失が生じるため不都合である；このような電圧損失は現代の端末の場合望ましくない。この欠点を排除するために、特許文献１には、変圧器回路が、端末プラグを備えた剛性構造ユニットを形成した装置が記載されている。これにより二次ラインの長さはできるだけ短く保たれる。次いで、構造ユニットは、変圧器回路の一次側においてケーブルを介して電源電圧源に接続される。
【０００６】
従来技術より知られる変圧器は、構造的形状が運搬のためには扱いにくいことにおいても問題がある。モバイル端末のための変圧器は、端末がいつでも充電されることができるように、端末自体のように頻繁に運搬される。したがって、容易に運搬されることができる構造的形状が重要である。特許文献２において、折り畳み可能な電源プラグピンを提供することによって変圧器の扱いやすさを向上させる試みがなされているが、成功は未発達のものでしかない。なぜならば、接続ケーブルにより、変圧器は依然として運搬のためにはあまり扱いやすくない。
【０００７】
さらに、公知の変圧器が作動させられるとき、端末が配置されることができる特定の場所がないという問題が生じる。端末は、変圧器が接続されることができるように電源ソケットの近傍に配置されなければならない。
【０００８】
２つの前記問題の解決へのアプローチは特許文献３によって提供され、この特許文献は最も近い従来技術を構成する。この刊行物には、携帯電話のためのポータブル充電手段が記載されており、この場合、電源ユニット、ライン、プラグ及び携帯電話のための接続部は、ハウジングと共に１つのメインボディを形成するように組み合わされており、前記メインボディは、その上面に接続部を有しており、この接続部に携帯電話が安定して配置されることができる。前記特許文献３においては、ポータブル充電手段はこの充電位置から運搬位置へ転換されることができる。前記運搬位置においては、ポータブル充電手段のハウジングは、必要であれば、前記充電手段を保護するために及びさらに持ち運びやすくするために、別個の保護カバーが取り付けられている。しかしながら、前記ポータブル充電手段はその寸法において依然として扱いにくい。なぜならば、前記ポータブル充電手段の寸法が、運搬位置において取り付けられる保護カバーによってさらに増大されるからである。
【特許文献１】欧州特許第１０６０５５９号明細書
【特許文献２】米国特許第６４６２９７５号明細書
【特許文献３】独国実用新案第２０２１１１３２号明細書
【発明の開示】
【発明が解決しようとする課題】
【０００９】
この従来技術を鑑みた本発明の課題は、従来技術より知られている変圧器を、充電中及び特に運搬中における取扱いやすさが向上されるように改良することである。
【課題を解決するための手段】
【００１０】
電源電圧源に接続可能な電源プラグを少なくとも部分的に包囲したハウジングと、端末に接続可能な端末プラグと、変圧回路とを有しており、前記ハウジングが、第１のハウジング部材と、前記第１のハウジング部材に案内手段によって可動に結合されておりかつ端末を受容するための受容手段として形成された第２のハウジング部材とを含んでいる変圧器において、本発明は、運搬位置において、運搬位置において占められるスペースが充電位置において占められるスペースよりも小さくなるようにハウジング部材が相対的に移動させられることにより、この課題を達成する。
【００１１】
本発明によるこの解決手段は、運搬位置における変圧器の寸法が充電位置における寸法よりも著しく小さいという利点を有する。つまり、変圧器は容易に手荷物に収納されることができ、さらに例えばズボンのポケットに入れて運搬されることができる。
【００１２】
このような改良された変圧器の性能は、それぞれが有利でありかつ以下に説明される、様々な相互に独立した別の発展によって改良されることができる。
【００１３】
案内手段によって第２のハウジング部材が第１のハウジング部材に可動に結合されており、この案内手段には、有利な別の発展に基づき、ロッキング位置が設けられていることができる。つまり、第２のハウジング部材に対する第１のハウジング部材の固定された位置を規定することができ、このことは、変圧器の種々異なる仕事及び充電位置に適応させることができる。
【００１４】
構造的に単純な実施形態により、第１のハウジング部材と第２のハウジング部材との間の案内手段はロータリ案内手段として形成されていることができ、この場合、２つのハウジング部材は相対的に種々異なる角度位置へ移動させられることができる。
【００１５】
有利な別の発展によれば、第２のハウジング部材は、運搬位置において電源プラグを包囲しかつ充電位置において端末を収容するように形成されていることができる。この実施形態の場合、第２のハウジング部材は、第１のハウジング部材及び電源プラグそれぞれのための保護ケーシングとして働く。第２のハウジング部材は特に電源プラグの電源プラグピンをカバーすることができるので、これらの電源プラグピンが運搬中に引っかかったり又は破損することが防止される。変圧器は、例えば洋服のポケットに入れて容易に運搬されることができるように、運搬位置を占めている場合に実質的に矩形の平行六面体の形状を有するように形成されていることもできる。さらに、１つの別の発展は、ハウジング部材が第１の充電位置とは異なる位置を相対的に占める第２の充電位置へ変圧器が移動させられることを可能にする。種々異なる充電位置に基づき、変圧器は電源ソケットの種々異なる位置に適応させられることができる。例えば、１つの充電位置は壁面ソケットにおいて充電するために使用されることができ、別の充電位置は、テーブルソケットにおいて充電するために使用されることができる。両充電位置はロッキング位置によって固定されることができる。
【００１６】
１つの実施形態によれば、受容手段はチャネルの形式で形成されることができ、このチャネルに端末が充電の目的で挿入方向に挿入されることができる。変圧器にロータリ案内手段が設けられている場合、電源プラグが電源ソケットに差し込まれる差込方向に対する挿入方向の角度は、変更することができる。
【００１７】
例えば、第１のハウジング部材は運搬位置において第２のハウジング部材内へ折り畳まれ、前記ハウジング部材の間の角度が約０°であり、これは、運搬のための変圧器の有利な寸法を提供する。挿入方向及び差し込み方向は、この場合互いに平行に向けられることができる。
【００１８】
第１の充電位置において、ハウジング部材は互いに約１６５°〜１９５°の範囲の角度、好適には約１８０°の角度で位置決めされることができ、この場合、変圧器は例えばテーブルソケットにおける充電に特に適しており；挿入方向及び差込み方向はこの場合平行に向けられることができる。さらに、ハウジング部材は、第２の充電位置を占めている場合に、約７５°〜９０°の範囲の角度、しかしながら好適には実質的に直角に互いに延びており、この場合、変圧器は例えば壁面ソケットにおける動作に特に適している。挿入方向及び差込み方向はこの場合実質的に互いに垂直に向けられることができる。
【００１９】
別の改良に基づき、第１のハウジング部材は、運搬位置において端末プラグを保護するように包囲しかつ、充電位置において電源ソケットに挿入されるように形成されることができる。
【００２０】
さらに、案内手段を介して第１のハウジング部材と第２のハウジング部材とは可動に相互結合されており、この案内手段は、案内手段自体を通って電流を第１のハウジング部材から第２のハウジング部材へ伝送することができる。この実施形態は、例えば外部へ延びた付加的なケーブルを排除することができるので有利である。
【００２１】
別の有利なさらなる発展によれば、電源プラグは、国ごとに特定の電源ソケット又は自動車におけるソケットに適応させられるように様々な形式で形成されることができる。したがって、本発明による変圧器は多くの場所において使用されることができる。
【００２２】
さらに、変圧回路は第１のハウジング部材に組み込まれることができ、この場合、特定の大きなスペースが節約される。
【００２３】
さらに、第１のハウジング部材はフォーク状の構造設計を有することができ、第２のハウジング部材の旋回箇所はフォークの端部の領域に配置されている。フォーク状の構造設計により、幅広の端末も、受容手段として形成された第２のハウジング部材に挿入されることができる。これは、変圧器の全体的寸法を減じる。
【００２４】
特に、第２のハウジング部材を第１のハウジング部材とは独立して形成することができ、第２のハウジング部材を様々な端末プラグに適応させることができる。したがって、本発明は多くの端末製造者によって使用されることができ、その場合、第２のハウジング部材のみが交換されればよいのに対し、第１のハウジング部材は生産ライン全体のために使用されることができる。
【発明を実施するための最良の形態】
【００２５】
以下に添付の図面を参照しながら本発明の実施形態の例を説明する。種々異なる特徴は、個々の有利な実施形態に関連して既に前に説明したように、互いに独立して組み合わされることができる。
【００２６】
まず最初に、本発明による変圧器１の概略的な構造的設計を図１を参照して説明する。
【００２７】
変圧器１は第１のハウジング部材２を有しており、この第１のハウジング部材２は、電源電圧源に接続するための２つの電源プラグピン３と、この場合は多角形であるボディ４とを供えている。第１のハウジング部材２は電源プラグ３，４を規定しており、電源プラグの内部には変圧回路（図示せず）、たとえば変圧器が設けられている。電源プラグ３，４は、差込方向Ｓで電源ソケットに挿入される。
【００２８】
電源プラグピン３と電源プラグボディ４とを有する電源プラグは、電源プラグが適応可能であるべき電源ソケットのタイプに応じて種々異なる形状を有することができる。図１に示された形式は、例えば欧州において使用するために実施された形式のユーロ電源プラグを示している。別の実施形態は、例えば米国プラグ又は中国プラグであってよい。さらに、電源プラグピン３に加えてアース接点を備えた実施形態も可能である。
【００２９】
第１のハウジング部材２には、第２のハウジング部材６に結合するための案内手段が設けられている。図１において、この案内手段は、例えばヒンジの形式のロータリ案内手段１０として形成されている。第１のハウジング部材２は、このロータリ案内手段１０によって第２にハウジング部材６に可動に結合されている。図１に例として示されているように、第１のハウジング部材２は、電源プラグボディ４に続く区分においてフォーク状である。ロータリ案内手段１０は第１のハウジング部材２のフォーク端部５に配置されており、ロータリ案内手段１０にはロッキング位置が提供されており、このロッキング位置においてハウジング部材２，６が相対的に固定される。
【００３０】
第２のハウジング部材６は、案内手段が設けられたボディ７を有しており、この案内手段を介して第２のハウジング部材６の前記ボディ７が第１のハウジング部材２に可動に結合されている。図１において、例えばこの案内手段はロータリ案内手段１０として形成されている。ボディ７には、端末を変圧器１に接続するための端末プラグ８が設けられている。図１において、前記端末プラグ８は、例えばボディ７を超えて突出した同軸プラグの形式で示されている。端末プラグ８は、変圧器１が様々な種々異なる端末に適応されることができるように種々異なる形式で形成されることができる。これにより、変圧器１は、様々な接続部を備えた端末を提供する、端末の様々な製造者によって使用されるのに適している。
【００３１】
第２のハウジング部材６は付加的に受容手段９を形成している。受容手段９は、端末プラグに取り付けられた端末を保持しながら包囲する機能を有する。図１に示されているように、受容手段９はチャネルとして形成されることができるので、端末は挿入方向Ｅで挿入されることができる。受容手段９は、関係する端末に応じて種々異なる形状を有することができ、受容手段９は、薄い壁部を有するＵ字形のトレーとして形成されている。
【００３２】
第２のハウジング部材６は第１のハウジング部材２から分離されることができ、これにより、第２のハウジング部材６を容易に交換することができる。このことは、前記第２のハウジング部材６が磨耗した場合に特に必要である。さらに、このことは、例えば前記第１のハウジング部材２が別の端末のために使用される場合、第２のハウジング部材６の様々な実施形態が同じ第１のハウジング部材２に接続されることをも許容する。
【００３３】
図１には、変圧器１は例えば第１の充電位置において示されている。この第１の充電位置は、電源プラグ３，４を含む第１のハウジング部材２が、端末プラグ８を含む第２のハウジング部材６に対して、ロータリ案内手段１０に関して約１６５°〜１９５°の範囲の角度、しかしながら好適には約１８０°の角度で整列するように、図１に示されている。挿入方向Ｅ及び差し込み方向Ｓは実質的に互いに平行である。図示された位置では、変圧器１は例えば水平方向に延びた電源ソケット、いわゆるテーブルソケットにおいて作動させられることができる。
【００３４】
図２には、変圧器１は例えば第２の充電位置において示されている。この第２の充電位置において、変圧器１は電源ソケットに挿入されることができ、この電源ソケットの位置は第１の充電位置の位置とは異なる。また、この充電位置において、第２のハウジング部材６は端末を受容するのに適した位置を占めている。図２に例えば示された第２の充電位置において、第１のハウジング部材２及び第２のハウジング部材６は、互いに対して約７５°〜９０°、しかしながら好適には実質的に直角で配置されており、挿入方向Ｅと差し込み方向Ｓとは実質的に互いに垂直である。第２の充電位置において、電源プラグ３，４を含む変圧器１は、垂直方向に延びた電源ソケット、いわゆる壁面ソケットに挿入されることができる。この位置において、端末は、垂直の向きで端末プラグ８に取り付けられることができ、受容手段９によって保持される。充電位置のうちの１つにおける２つのハウジング部材２，６の向きは、端末、例えば携帯電話、の傾斜したディスプレイをより容易に読むことができるように、ほぼ直角又は整列した向きとは異なっていてもよい。
【００３５】
図３には、変圧器１が例えば運搬位置において示されている。この位置では、２つのハウジング部材２，６は、理想的な変圧器運搬位置を占めるように相対的に位置決めされており、この変圧器運搬位置においては、変圧器１によって占められる空間はできるだけ小さい。図３に示された実施例において、第１のハウジング部材２及び第２のハウジング部材６は、互いに約０°の角度で位置決めされており、すなわち互いに折り畳まれている。挿入方向Ｅと差し込み方向Ｓとは実質的に互いに平行である。この位置において、変圧器１の寸法は減じられ、前記変圧器１は実質的に矩形の平行六面体の形状を有する；電源プラグピンは第２のハウジング部材６から著しく突出することがないか又は完全に前記第２のハウジング部材６の内部に延びている。したがって、変圧器１の外形は運搬という目的のために特に有利である。
【００３６】
受容手段９が図１においてＵ字形であることにより、受容手段は、スペースを節約しながら第１のハウジング部材２を保護するように包囲する。
【００３７】
図３に示された典型的な図において、端末プラグ８は運搬位置において第１のハウジング部材２によって保護されている。前記端末プラグ８は極めて敏感であり、保護されていないと、運搬中に容易に破損するおそれがある。例えば図３に示された変圧器１の場合、このような保護は第１のハウジング部材２における凹所１１によって得られる。この凹所１１は運搬位置において端末プラグ８を保護するように包囲する。
【００３８】
２つのハウジング部材２及び６は、１つのハウジング１２を形成するようにロータリ案内手段１０によって結合されており、運搬位置及び充電位置において、それぞれロッキング位置によって相対的に固定される。
【００３９】
第１のハウジング部材２と第２のハウジング部材６との間に設けられたロータリ案内手段１０は、少なくとも充電位置において、電源プラグ３から変圧回路（図示せず）を介して端末プラグ８へ電流を伝送する。このことは、ロータリ案内手段１０の一方の側における導電性ワイピングコンタクトディスク（図示せず）によって行われることができる。したがって、変圧器の外部の付加的なケーブルが不要である。これは、変圧器１の故障を生じさせるようなケーブルの破損を回避する。
【図面の簡単な説明】
【００４０】
【図１】第１の充電位置における、本発明による変圧器の実施形態を概略的に示している。
【図２】第２の充電位置における、図１の変圧器を概略的に示している。
【図３】運搬位置における、図１の変圧器を示している。
【符号の説明】
【００４１】
１  変圧器、  ２  第１のハウジング部材、  ３，４  電源プラグ、  ５  フォーク端部、  ６  第２のハウジング部材、  ７  ボディ、  ８  端末プラグ、  ９  受容手段、  １０  ロータリ案内手段、  １１  凹所
【図１】
2004343053.tif 000003
【図２】
2004343053.tif 000004
【図３】
2004343053.tif 000005